(57)【要約】【課題】送信・中継ルートそれぞれの送信状況を一括して管理し、ルート変更による品質の向上／劣化を容易に見極めることを可能とする。【解決手段】各受信ポイントには、フィールド信号の品質を監視する品質監視モニタがそれぞれ配置される。ＴＭＳセンター機器１１は、この品質監視モニタによる品質監視情報を収集し、現状ルートのＣ／Ｎ値を演算する。また、品質情報ＤＢ２２に格納された各受信ポイントの設置時の品質情報から指定ルートに変更した場合のＣ／Ｎ予測値を演算する。そして、ルート切替部２４は、現状のＣ／Ｎ値とＣ／Ｎ予測値とを比較判定し、Ｃ／Ｎ予測値が現状のＣ／Ｎ値より大きいと判定した場合に、指定ルートで中継するようにルートの切替の指示を行う。【選択図】    図１
2007028316.tif 000002
【特許請求の範囲】
【請求項１】
地上デジタル放送の複数の送信・中継ルートそれぞれの送信状況を一括して管理する地上デジタル放送の送信管理システムであって、
前記複数の送信・中継ルートそれぞれの各中継受信点及び終端受信点に設置され、前記地上デジタル放送のフィールド信号の品質を監視する複数の品質監視手段と、
前記複数の品質監視手段で得られる監視情報を一括して収集する監視情報収集手段と、
前記一括収集された監視情報から現状ルートの信号品質を求める現状品質演算手段と、
前記現状ルートの信号品質から指定ルート変更後の信号品質を予測する予測手段と、
前記予測手段で予測された信号品質が現状ルートの場合より優れているとき、ルートの切替を指示する切替指示手段と
を具備することを特徴とする地上デジタル放送の送信管理システム。
【請求項２】
前記品質監視手段は、前記フィールド信号のＣ／Ｎ（キャリア対ノイズ比）値を品質として監視することを特徴とする請求項１記載の地上デジタル放送の送信管理システム。
【請求項３】
地上デジタル放送の複数の送信・中継ルートそれぞれの送信状況を一括して管理する地上デジタル放送の送信管理システムに用いられ、
前記複数の送信・中継ルートそれぞれの各中継受信点及び終端受信点に設置され、前記地上デジタル放送のフィールド信号の品質を監視する複数の品質監視モニタから監視情報を一括して収集する監視情報収集ステップと、
前記一括収集された監視情報から現状ルートの信号品質を求める現状ルート品質演算ステップと、
前記現状ルートの信号品質から指定ルート変更後の信号品質を予測する予測ステップと、
前記予測された信号品質が現状ルートの場合より優れているとき、ルートの切替を指示する切替指示ステップと
を具備することを特徴とする地上デジタル放送の送信管理システムの運用方法。
【発明の詳細な説明】
【技術分野】
【０００１】
本発明は、地上デジタル放送の送信・中継ルートそれぞれの送信状況を一括して管理する地上デジタル放送の送信管理システムとその運用方法に関する。
【背景技術】
【０００２】
地上デジタル放送における送信ネットワークには、光ファイバー中継、マイクロ波中継、放送波中継などがある。また、予備ルートとして、多数の中継方式を並行して構築する場合もある。但し、中継ルートや装置の選択がなされたとき、どのくらいのＣ／Ｎ（キャリア対ノイズ比）値が得られるかは、実際の回線のフェージングの状況にかなり影響を受けるため、装置を実際に多段接続して見ないと分からないのが現状である。このため、ルート変更による品質向上、品質劣化の見極めが極めて困難であった。一方、従来では、パケット通信網において、中継回線の伝送品質情報を収集し、収集した伝送品質情報をもとに伝送品質のよい通信回線を選択する手法が提案されている（例えば、特許文献１又は２を参照。）。これにより、異常パケットの発生を最小限に抑え、受信側からの再送要求を低減し、中継回線の使用効率を向上させることができる。
【特許文献１】特開平３−４２９４１号公報
【特許文献２】特開平１０−２５７０９９号公報
【発明の開示】
【発明が解決しようとする課題】
【０００３】
ところが、地上デジタル放送は、放送中継局からサービスエリアに対して一方向に送信されるので、安定で高品質な送信ネットワークを実現する必要がある。このため、地上デジタル放送の整備に当たり、送信・中継ルートそれぞれの送信状況を一括して管理し、ルート変更による品質の向上／劣化を容易に見極めることが可能な地上デジタル放送の送信ネットワーク管理システムの構築が強く望まれている。
【０００４】
本発明は上記の事情を考慮してなされたもので、送信・中継ルートそれぞれの送信状況を一括して管理し、ルート変更による品質の向上／劣化を容易に見極めることが可能な地上デジタル放送の送信ネットワーク管理システムとその運用方法を提供することを目的とする。
【課題を解決するための手段】
【０００５】
上記の目的を達成するために、この発明の地上デジタル放送の送信管理システムは、地上デジタル放送の複数の送信・中継ルートそれぞれの送信状況を一括して管理する地上デジタル放送の送信管理システムであって、前記複数の送信・中継ルートそれぞれの各中継受信点及び終端受信点に設置され、前記地上デジタル放送のフィールド信号の品質を監視する複数の品質監視手段と、前記複数の品質監視手段で得られる監視情報を一括して収集する監視情報収集手段と、前記一括収集された監視情報から現状ルートの信号品質を求める現状品質演算手段と、前記現状ルートの信号品質から指定ルート変更後の信号品質を予測する予測手段と、前記予測手段で予測された信号品質が現状ルートの場合より優れているとき、ルートの切替を指示する切替指示手段とを具備することを特徴とする。さらに、前記品質監視手段は、前記フィールド信号のＣ／Ｎ値を品質として監視するようにする。
【０００６】
また、この発明の地上デジタル放送の送信管理システムの運用方法は、地上デジタル放送の複数の送信・中継ルートそれぞれの送信状況を一括して管理する地上デジタル放送の送信管理システムに用いられ、前記複数の送信・中継ルートそれぞれの各中継受信点及び終端受信点に設置され、前記地上デジタル放送のフィールド信号の品質を監視する複数の品質監視モニタから監視情報を一括して収集する監視情報収集ステップと、前記一括収集された監視情報から現状ルートの信号品質を求める現状ルート品質演算ステップと、前記現状ルートの信号品質から指定ルート変更後の信号品質を予測する予測ステップと、前記予測された信号品質が現状ルートの場合より優れているとき、ルートの切替を指示する切替指示ステップとを具備するものである。
【０００７】
上記構成による地上デジタル放送の送信管理システム及びその運用方法では、それぞれの中継受信点及び終端受信点に設置される品質監視モニタから品質情報を収集し、収集した品質情報をもとに現状ルートの信号品質を演算する。また指定ルートの信号品質を予測演算することで、予測された信号品質が現状ルートの場合より優れているときにルートの切り替えを指示する。これにより、送信・中継ルートそれぞれの回線のフェージング状況や、個々の装置のＣ／Ｎ値を把握して、選択された中継ルートの場合のＣ／Ｎ値を予測することを可能とする。
【発明の効果】
【０００８】
以上のように、本発明によれば、送信・中継ルートそれぞれの送信状況を一括して管理し、ルート変更による品質の向上／劣化を容易に見極めることが可能な地上デジタル放送の送信ネットワーク管理システムとその運用方法を提供することができる。
【発明を実施するための最良の形態】
【０００９】
以下、本発明の実施の形態について図面を参照して詳細に説明する。
【００１０】
図１は本発明に係る地上デジタル放送の送信管理システムを示す概略図である。図１において、Ａは演奏所（または委託監視法人社屋）、Ｂは親局（送信所）、Ｃはサテライト局、Ｄは委託監視所、Ｅはフィールド移動測定車を示している。上記演奏所Ａにはマスター設備（ＭＵＸ）及び送信設備（ＳＴＬ）と共にＴＭＳ（Transmitting Management System：送信管理システム）センター機器が設置される。また、Ｂ，Ｃ，Ｄ，Ｅの各受信ポイント（中継受信点及び終端受信点）には、それぞれフィールド信号の品質を監視する品質監視モニタが配置される。なお、サテライト局Ｂは、中継受信エリアを隈無くカバーするために複数点在して設置されているものとする。
【００１１】
上記ＴＭＳセンター機器１１は、具体的には図２に示すように構成される。図２において、通信インタフェース（通信Ｉ／Ｆ）２１は、各品質監視モニタから監視情報を収集し、Ｃ／Ｎ演算部２３は、この収集された監視情報をもとに現状ルートの信号品質を表すＣ／Ｎ値を求める。また、品質情報データベース（品質情報ＤＢ）２２には、各受信ポイントの設置時の品質情報（例えば、Ｃ／Ｎ値）が格納され、Ｃ／Ｎ演算部２３は、この品質情報をもとに、指定ルート（例えば、他のサテライト局Ｂから中継した場合）のＣ／Ｎ値を予測する。ルート切替部２４は、予測されたＣ／Ｎ値が現状ルートのＣ／Ｎ値より大きい場合に、上記指定ルートによる中継に切り替える制御信号を親局Ａ又はサテライト局Ｂに送出する。
【００１２】
このような構成によるＴＭＳセンター機器１１の動作について図３を参照して説明する。図３は、ＴＭＳセンター機器１１の動作手順とその内容を示すフローチャートである。まず、通信Ｉ／Ｆ２１は、各監視モニタから品質監視情報を収集する(Ｓ３１)。次に、Ｃ／Ｎ演算部２３は、上記収集された監視情報をもとに、現状ルートのＣ／Ｎ値を演算する（Ｓ３２）。また、Ｃ／Ｎ演算部２３は、指定ルートに変更した場合のＣ／Ｎ値を予測演算する（Ｓ３３）。これは、品質情報ＤＢ２２に記憶される各ポイントのＣ／Ｎ値をもとに演算する。
【００１３】
そして、ルート切替部２４は、上記求められたＣ／Ｎ予測値と現状のＣ／Ｎ値とを比較判定する（Ｓ３４）。予測値が現状値より大きいと判定された場合には、指定ルートへの切替指示を表す制御信号を親局Ａ及びサテライト局Ｂに送出する（Ｓ３５）。一方、上記比較判定において、予測値が現状値以下と判定された場合には、ルート切替を行なわず、現状ルートによる中継送信を継続する。
【００１４】
以上述べたように上記実施形態では、各受信ポイントに、フィールド信号の品質を監視する品質監視モニタがそれぞれ配置される。ＴＭＳセンター機器１１は、この品質監視モニタによる品質監視情報を収集し、現状ルートのＣ／Ｎ値を演算する。また、品質情報ＤＢ２２に格納された各受信ポイントの設置時の品質情報から指定ルートに変更した場合のＣ／Ｎ予測値を演算する。そして、ルート切替部２４は、現状のＣ／Ｎ値とＣ／Ｎ予測値とを比較判定し、Ｃ／Ｎ予測値が現状のＣ／Ｎ値より大きいと判定した場合に、指定ルートで中継するようにルートの切替の指示を行うものである。
【００１５】
したがって上記実施形態によれば、送信・中継ルートそれぞれの回線のフェージング状況や、個々の装置のＣ／Ｎ値を把握して、選択された中継ルートの場合のＣ／Ｎ値を予測することのできる地上デジタル放送の送信ネットワーク管理システムを提供することができる。
【００１６】
尚、本発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良い。
【図面の簡単な説明】
【００１７】
【図１】この発明に係わる地上デジタル放送の送信管理システムの一実施形態を示す概略図。
【図２】図１に示すＴＭＳセンター機器の構成を示すブロック図。
【図３】図１に示すＴＭＳセンター機器の動作の手順とその内容を示すフローチャート。
【符号の説明】
【００１８】
Ａ…演奏所、Ｂ…親局、Ｃ…サテライト局、Ｄ…委託監視所、Ｅ…フィールド移動測定車、１１…ＴＭＳセンター機器、２１…通信インタフェース、２２…品質情報データベース、２３…Ｃ／Ｎ演算部、２４…ルート切替部。
【図１】
2007028316.tif 000003
【図２】
2007028316.tif 000004
【図３】
2007028316.tif 000005